(57)【特許請求の範囲】
【請求項１】
立設された複数の支柱と、該支柱の下部に取り付けられたベース枠と、前記支柱の上部に取り付けられた天井枠と、該天井枠下方に取り付けられ、衣類を掛けたハンガーを吊す水平のハンガーパイプとから成り、その骨組の外側をカバー部材で覆うとともに、該カバー部材の一面に衣類の出入口をコ字状に開け、その切目の縁部にファスナーを設けて開閉自在となした開閉カバー付きの衣類ハンガースタンドにおいて、
前記コ字状に開けた衣類の出入口を覆う開閉カバーの上部を裏打ちして上方に延びる延設部を形成するとともに、前記天井枠の出入口側の面に横方向のレールを取り付け、該レールと前記開閉カバーの延設部との間に適数個のフックを設けて、前記レールに前記コ字状の出入口を覆う開閉カバーをカーテン状に移動自在に取り付けたことを特徴とする衣類ハンガースタンド。
【請求項２】
立設された複数の支柱と、該支柱の下部に取り付けられたベース枠と、前記支柱の上部に取り付けられた天井枠と、該天井枠下方に取り付けられ、衣類を掛けたハンガーを吊す水平のハンガーパイプとから成り、その骨組の外側をカバー部材で覆うとともに、該カバー部材の一面に衣類の出入口をコ字状に開け、その切目の縁部にファスナーを設けて開閉自在となした開閉カバー付きの衣類ハンガースタンドにおいて、
前記コ字状に開けた衣類の出入口を覆う開閉カバーの上部及び下部を裏打ちして上方及び下方に延びる延設部を形成するとともに、前記天井枠及びベース枠の出入口側の面に横方向のレールを取り付け、該レールと前記開閉カバーの上部及び下部の延設部との間に適数個のフックを設けて、前記レールに前記コ字状の出入口を覆う開閉カバーをカーテン状に移動自在に取り付けたことを特徴とする衣類ハンガースタンド。
【発明の詳細な説明】
【０００１】
【発明の属する技術分野】
本発明は、ハンガーに掛けた衣類を収納する衣類ハンガースタンドに関する。
【０００２】
【従来の技術】
従来の衣類ハンガースタンドとしては、例えば、４本の支柱と、該支柱の下部に取り付けられたベース枠と、前記支柱の上部に取り付けられた天井枠と、該天井枠下方に取り付けられ、衣類を掛けたハンガーを吊す水平のハンガーパイプとから成るハンガースタンドが普及している。
そして、このハンガースタンドは、その骨組の外側をカバー部材で覆うとともに、該カバー部材の前面に衣類の出入口部をコ字状又は逆コ字状に開け、その切目の縁部にファスナーを設けて開閉できるようにし、衣類を出し入れしている。
【０００３】
【発明が解決しようとする課題】
しかしながら、従来の衣類ハンガースタンドでは、衣類の出し入れ時に、出入口の開いた部分の開閉カバーが折れ曲がって垂れ下がり、衣類の出し入れに邪魔となって作業性を悪くするとともに、見栄えも悪くスマートではなかった。
また、同じく衣類の出し入れ時に、スタンド内のすべての衣類が露出するため、防塵効果に欠ける点があった。
【０００４】
本発明は、上記の点に鑑み創案されたもので、衣類の出し入れ時、出入口の開いた部分の開閉カバーが折れ曲がって垂れる下がる等の心配がなく、作業性が良好で、見栄えがよいとともに、衣類の露出を極めて少なくし、防塵効果を高めた衣類ハンガースタンドを提供することを目的とする。
【０００５】
【課題を解決するための手段】
上記目的を達成するため、本発明の衣類ハンガースタンドにおいては、立設された複数の支柱と、該支柱の下部に取り付けられたベース枠と、前記支柱の上部に取り付けられた天井枠と、該天井枠下方に取り付けられ、衣類を掛けたハンガーを吊す水平のハンガーパイプとから成り、その骨組の外側をカバー部材で覆うとともに、該カバー部材の一面に衣類の出入口をコ字状に開け、その切目の縁部にファスナーを設けて開閉自在となした開閉カバー付きの衣類ハンガースタンドにおいて、前記コ字状に開けた衣類の出入口を覆う開閉カバーの上部又は上部及び下部を裏打ちして上方又は上方及び下方に延びる延設部を形成するとともに、前記天井枠又は天井枠及びベース枠の出入口側の面に横方向のレールを取り付け、該レールと前記開閉カバーの延設部との間に適数個のフックを設けて、前記レールに前記コ字状の出入口を覆う開閉カバーをカーテン状に移動自在に取り付けたことを特徴としている。
【０００６】
【作用】
上記構成を採用したことにより、衣類の出し入れ時、出入口のファスナーを開いても、開いた部分の開閉カバーは、天井枠のレールに吊り下がっているので、折れ曲がって垂れる下がる心配がない。また、開いた部分の開閉カバーを横移動させて開閉し衣類を出し入れするので、作業性良好であり、しかも衣類の露出が極めて少なくてすむため防塵効果が高まる。
【０００７】
【発明の実施の形態】
以下、本発明の好ましい実施の形態を図面に基づいて説明する。
図１は本発明の衣類ハンガースタンドのファスナーを開いた状態の斜視図、図２は本発明の要部を示す斜視図、図３は本発明の骨組を示す斜視図である。
【０００８】
図３において、本発明の衣類ハンガースタンド１の骨組２は、立設された４本の支柱３ａ，３ｂ，３ｃ，３ｄの適宜箇所に、複数の棚板部材を取り付けて強固に固定することによって組み立てられている。すなわち、３つの棚板部材であるベース枠４と中間棚５と天井枠６とを用い、その部材の四隅にそれぞれ設けた孔を、支柱３ａ，３ｂ，３ｃ，３ｄの下部位置、上部寄り中間位置、及び上部位置にそれぞれ固定することによって組み立てている。支柱に対する棚板部材の固定手段としては、例えば、組合せると筒状を呈する一対の半割体形状のテーパ部材を支柱に取り付け、そのテーパ部材の外側に棚板部材の孔を嵌着させる等の手段により強固に固定する。なお、この固定手段は、強固に固定できるもので有れば、締結部材での締結や溶接等他の如何なる手段でもよい。また、この衣類ハンガースタンド１の支柱３ａ，３ｂ，３ｃ，３ｄの下端には、キャスター７ａ，７ｂ，７ｃ，７ｄがそれぞれ取り付けられていて移動をスムーズにしている（なお、このキャスターの取付は任意である）。
【０００９】
前記天井枠６の下方の中間棚５の下には、骨組２に取り付けたハンガーブラケット８ａ，８ｂを介して、ハンガーを吊すためのハンガーパイプ９が設けられている。すなわち、図４に詳細を示すように、棚板５の奥行き方向の中央で、且つ左右両端に、ハンガーブラケット８ａ，８ｂが吊り下げられ、このハンガーブラケット８ａ，８ｂの下側の孔に、衣類を掛けたハンガーを吊す水平のハンガーパイプ９がボルト１０により取り付けられている。
【００１０】
そして、本実施形態の衣類ハンガースタンド１は、最上部の天井枠６の一面である前面に、図５に詳細を示すように、横方向に長いカーテンレール１１を取り付けている。具体的には、カーテンレール１１の両端をそれぞれ折り曲げてフック部１１ａを作り、この両端のフック部１１ａを天井枠６の前面に引っ掛けて取り付けている。なお、このカーテンレール１１は、前側の支柱３ａ，３ｄに取り付けて架け渡すようにしてもよい。また、本実施形態のカーテンレール１１は、パイプ状の部材を用いているが、ワイヤ状の部材を用いて前側の支柱３ａ，３ｄ間に架け渡し、これをカーテンレールとしてもよい。
【００１１】
一方、図１に示すように、本発明の衣類ハンガースタンド１は、この骨組２の外側をカバー部材１２で覆い、カバー部材１２の前面に衣類の出入口１３をコ字状に開け、このコ字状に開けた出入口１３を覆う開閉カバー１２ａの切目の縁部にファスナー１４を設けている。
【００１２】
そして、本実施形態においては、特に図２に詳細を示すように、衣類の出入口１３を開閉する開閉カバー１２ａの上部の縁部を裏打ちして上方に延設した延設部１５を設けた点に特徴がある。この延設部１５の上部には適数間隔をあけて、孔１６，１６・・・が穿設されている。そして、前記カーテンレール１１と前記衣類の出入口１３を覆う開閉カバー１２ａの延設部１５の孔１６，１６・・・の間には、フック１７，１７が設けられ、衣類の出入口１３の開閉カバー１２ａが移動自在に吊り下げられている。なお、このフック１７，１７は、図２においては樹脂製の環状型としているが、通常のカーテン等で使用される金属製のＳ字型でも、或いはそれ以外のものでもよいことは勿論である。
【００１３】
また、上記実施の形態で説明した発明は、天井枠６にカーテンレール１１を設けたものであったが、天井枠６とベース枠４にそれぞれカーテンレールを設けて、開閉カバー１２ａの下側も上側と同様にフックを介してスライド自在に取り付けるようにしてもよい。ベース枠４にもカーテンレールを設けて、開閉カバー１２ａの下端をスライド自在に保持すれば、この開閉カバー１２ａの下側がが折れてめくれることはなく、一層見栄えがよくなる。また、このようにすれば、開閉カバー１２ａを閉じるときに、その下側もファスナーでスムーズに閉めることができる。
【００１４】
なお、本実施の形態では、全体が直方体形状の衣類ハンガースタンド１について説明したが、本発明は他の多角形形状や円形のカバー付き衣類ハンガースタンドに応用することができる。また、支柱の数とか、棚の数とかがこの実施形態の数に限定されるものではない。
【００１５】
【発明の効果】
以上説明したように、本発明の衣類ハンガースタンドによれば、次のような効果を奏する。
（１）衣類の出し入れ時、出入口の開いた部分の開閉カバーが折り曲がって垂れることがないので、開いた部分の開閉カバーをカーテン状に移動させて、作業効率よく衣類の出し入れができるとともに、見栄えがよい。
（２）衣類の出し入れ時、出入口の開いた部分を極めて少なくすることができるので、衣類の露出を必要最小限度にとどめ、防塵効果を高めることができる。
【図面の簡単な説明】
【図１】本発明の衣類ハンガースタンドのファスナーを開けた状態の斜視図である。
【図２】本発明の衣類ハンガースタンドの要部を示す斜視図である。
【図３】本発明の骨組を示す斜視図である。
【図４】図３のＡ部詳細図である。
【図５】図３のＢ部詳細図である
【符号の説明】
１  衣類ハンガースタンド
２  骨組
３ａ，３ｂ，３ｃ，３ｄ  支柱
４  ベース枠
５  中間棚
６  天井枠
７ａ，７ｂ，７ｃ，７ｄ  キャスター
８ａ，８ｂ  ハンガーブラケット
９  ハンガーパイプ
１０  ボルト
１１  カーテンレール
１１ａ  フック部
１２  カバー部材
１２ａ  開閉カバー
１３  衣類の出入口
１４  ファスナー
１５  延設部
１６，１６  孔
１７，１７  フック
【図１】
0004008231.tif 000002
【図２】
0004008231.tif 000003
【図３】
0004008231.tif 000004
【図４】
0004008231.tif 000005
【図５】
0004008231.tif 000006